(57)【特許請求の範囲】
【請求項１】
顕微鏡鏡筒であって、
顕微鏡の無限光路に結合するように設計された入力光学素子（９）と、
前記離れた入力光学素子（９）によって供給される光線束を中間画像に結合する鏡筒レンズ（１２）であって、該鏡筒レンズ（１２）と前記中間画像との間に有限光路を形成する鏡筒レンズ（１２）と、
前記鏡筒レンズ（１２）の後ろに配置されたプリズム・ユニット（１３）であって、後続の光路（ＯＡ２）を６５゜および７５゜の間の固定角度だけ偏向させ、前記鏡筒の上位ハウジング部（２）に装着可能な双眼光学素子（４）による更なる中間結像を行うことなく、前記中間画像を直視可能とするように前記有限光路内に配置されているプリズム・ユニット（１３）と、を備え、
一体化した高さ調節機構（２、３）を設け、これによって、前記入力光学素子（９）と前記鏡筒レンズ（１２）との間の距離を調節可能とし、
前記プリズム・ユニット（１３）は、互いにエア・ギャップ（２３）だけ離間した第１および第２プリズム（２１、２２）を備えており、前記第１プリズム（２１）は、前記エア・ギャップ（２３）に接するその表面において入射する光線束を最初に全反射し、次いで隣接する鏡面被膜面（２４）において前記第２プリズム（２２）に向けてこれらを反射することを特徴とする顕微鏡鏡筒。
【請求項２】
請求項１記載の顕微鏡鏡筒であって、
下位ハウジング部（３）と上位ハウジング部（２）とを有するハウジング（１）を備え、前記入力光学素子（９）を前記下位ハウジング部（３）に装着し、前記鏡筒レンズを前記上位ハウジング部（２）に装着し、前記鏡筒レンズ（１２）および前記入力光学素子（９）を１本の共通な光軸（ＯＡ１）上に位置付け、前記上位ハウジング部（２）および前記下位ハウジング部（３）を前記光軸（ＯＡ１）に沿って互いに変位可能とした顕微鏡鏡筒。
【請求項３】
請求項１または２記載の顕微鏡鏡筒と請求項２記載の顕微鏡鏡筒との組み合わせにおいて、前記下位ハウジング部（３）が伸縮自在に前記上位ハウジング部（３）内に摺動可能である顕微鏡鏡筒。
【請求項４】
請求項１から３までのいずれか１項記載の顕微鏡鏡筒において、前記高さ調節機構は、前記入力光学素子（９）および鏡筒レンズ（１２）を誘導するボール・スクリュー・ガイド（４、５）を備えている顕微鏡鏡筒。
【請求項５】
請求項１から４までのいずれか１項記載の顕微鏡鏡筒において、前記高さ調節機構は、ラック・ピニオン駆動部（３０、３２）を備えている顕微鏡鏡筒。
【請求項６】
請求項１から５までのいずれか１項記載の顕微鏡鏡筒において、前記鏡筒レンズ（１２）の前記光軸（ＯＡ１）が垂直に延びる場合、その光軸がほぼ７０゜の角度だけ偏向され、約２０゜の視角が得られるようにした顕微鏡鏡筒。
【請求項７】
請求項１から６までのいずれか１項記載の顕微鏡鏡筒において、前記プリズム・ユニット（１３）は、光路外に移動可能であり、カメラ・コネクタ（８）を備えており、これによって、プリズム・ユニット（１３）を光路外に移動させたときに、前記カメラ・コネクタ（８）上に装着可能なカメラによって、前記中間画像を記録可能とした顕微鏡鏡筒。
【請求項８】
請求項１から７までのいずれか１項記載の顕微鏡鏡筒において、前記高さ調節機構は、スリップクラッチを備えている顕微鏡鏡筒。
【請求項９】
請求項２および８記載の顕微鏡鏡筒であって、前記上位ハウジング部（２）内に回転可能に支持され、その回転によって前記上位ハウジング部（２）および前記下位ハウジング部（３）の相互変位を駆動する軸（２５）を備えており、該軸を、摺動ディスク（２９）によって回転に抗してブロックされるようにはめ込み、前記摺動ディスク（２９）を、前記上位ハウジング部に装着した摺動ライニング（２８）に押し付け、前記軸（２５）の回転を禁止するスリップクラッチを形成するようにした顕微鏡鏡筒。
【請求項１０】
請求項１から９までのいずれか１項記載の顕微鏡鏡筒において、前記高さ調節機構は、付勢したスプリング・ユニット（２６）を備えている顕微鏡鏡筒。
【発明の詳細な説明】
【技術分野】
【０００１】
本発明は、顕微鏡の無限光路に結合するのに適しており、双眼光学素子を通じて直視可能な中間画像を生成する鏡筒レンズを備えている顕微鏡鏡筒に関する。
【背景技術】
【０００２】
かかる顕微鏡鏡筒は公知である。例えば、ドイツ国特許公開公報ＤＥ１９５１３８７０
Ａ１は、画像をアイピースの中間画像面に伝える鏡筒レンズと、対応する偏向装置とを備え、双眼アイピースを通じて画像を都合良く直視できるようにした顕微鏡鏡筒について記載している。前記顕微鏡鏡筒は、光路を偏向させる角度を、プリズムおよび回転可能なミラーによって、広い範囲の角度にわたって調節可能とするように設けられる。これによって、観察者が顕微鏡鏡筒にのぞき込むことができる視角の調節が可能となる。
【０００３】
しかしながら、かかる視角の調節は、自動的に鏡筒のアイピースの高さも変化させてしまう。これを補償するために、ドイツ国特許公開公報ＤＥ１９８２８５４８  Ａ１では、中間鏡筒を、モジュール状の別個の部品として設けており、この中間鏡筒は、顕微鏡の無限光路において、双眼光学素子を支持する顕微鏡鏡筒の前に配置することができる。前記中間鏡筒は、高さの調整を可能とするので、ドイツ国特許公開公報ＤＥ１９５１３８７０
Ａ１から公知の調節可能な視角を有する鏡筒との組み合わせによって、鏡筒アイピースの角度および高さ双方を、広い範囲内で調節することができる。
【０００４】
しかしながら、この鏡筒アイピースを設けるという概念は、できるだけ人間工学的に使いやすくするためであるが、ドイツ国特許公開公報ＤＥ１９５１３８７０  Ａ１から公知の視角が調節可能な顕微鏡鏡筒は、直視アイピースの枢動に余分な光学的反射が必要となるために、比較的大きな切片距離を有する鏡筒レンズを必要とし、光路長が長くなることが避けられないという欠点がある。したがって、ドイツ国特許公開公報ＤＥ１９５１３８７０  Ａ１は、特殊な鏡筒レンズを備えているが、これは常に望まれる訳ではない。かかる空間鏡筒レンズを削除しようとするには、追加の中間画像を代わりに実現すればよいが、顕微鏡鏡筒の横方向寸法が著しく増大する。このため、人間工学的な欠点となり得る。何故なら、場合によっては、顕微鏡鏡筒をのぞき込む位置が、顕微鏡の焦点調節ホイールからかなり離れてしまうこともあるからである。
【発明の開示】
【発明が解決しようとする課題】
【０００５】
したがって、本発明の目的は、人間工学的に使いやすく、しかも短い切片長を有する鏡筒レンズを用いた設計にも有用な顕微鏡鏡筒を提供することである。
【課題を解決するための手段】
【０００６】
この目的は、顕微鏡の無限光路に結合するために設けられた入力光学素子と、離れた入力光学素子によって供給される光線束を中間画像に結合する鏡筒レンズであって、当該鏡筒レンズと中間画像との間に有限光路を形成する鏡筒レンズと、鏡筒レンズの後ろに配置され、後続の光路を６５゜および７５゜の間の固定角度だけ偏向させ、上位ハウジング部に取付可能な双眼光学素子によって、更に中間結像を行うことなく、中間画像が直視可能となるように、有限光路内に配置されたプリズム・ユニットとを備え、高さ調節機構が設けられ、これによって入力光学素子と鏡筒レンズとの間の距離を調節可能とした顕微鏡鏡筒によって達成される。
【０００７】
したがって、本発明は、可能な限り自在に調節可能な顕微鏡鏡筒を得ることを目的とし
たこれまでの一般的な手法とは趣を異にする。代わりに、約２０゜の固定視角が現在得られ、高さ調節と組み合わせている。かかる固定視角の方が一層人間工学的には使いやすいことがわかった。何故なら、従来技術にしたがって視角を広く調節可能とすると、常にユーザによって誤った調節が行われるからである。鏡筒アイピースの垂直位置に最適な選択を可能にするために、前記固定視角を、顕微鏡鏡筒において一体化した高さ調節機構と組み合わせる。本発明によるこの組み合わせ―即ち、約２０゜に固定した視角の選択と、可能な限り広い垂直位置の調節―によってモジュール状中間鏡筒を回避することが可能となるが、構成および製造に関しては複雑化を招く解決策である。高さ調節機構を顕微鏡鏡筒のハウジングに一体化することによって、製造上の利点が得られ、顕微鏡鏡筒は一層安価となる。
【０００８】
更に、固定視角の選択および誤調節の虞れがある角度調節機構の排除によって、顕微鏡鏡筒は小型化し、特に長さが短くなる。その結果、鏡筒アイピースと顕微鏡の焦点調節ホイールとの間の距離が非人間工学的に大きくなることを回避する。
【０００９】
ハウジング内に設けられるプリズム・ユニットは、人間工学的に使いやすい視角を得るために必要なビームの偏向を行う。この点に関して、元の光軸と偏向後の光軸との間の補数として定義される偏向角を６５゜および７５゜の間にすると、特に人間工学的な視角が得られることがわかっている。
【００１０】
特に効果的な実施形態では、本発明は、上位ハウジング部および下位ハウジング部を有するハウジングを備えた顕微鏡鏡筒を提供する。入力光学素子が下位ハウジング部に内蔵され、一方上位ハウジング部は鏡筒レンズを支持する。鏡筒レンズは、入力光学素子と共通の光軸上に配置されている。上位ハウジング部および下位ハウジング部は、前記光軸に沿って、互いに対して変位可能である。この二部分ハウジングは、特に構造が小型となり、高さ調節機構を有利な方法で収容する。
【００１１】
更に、本発明による顕微鏡鏡筒は、別の部品に大幅な構造的変更を行うことなく、異なるプリズム・ユニットを用いることができるという利点がある。
顕微鏡の生体医学における用途では、これまで主に画像の方位が反転する顕微鏡鏡筒を用いて来たので、これが習慣になっている。したがって、これらのユーザは、画像の方位が反転する顕微鏡鏡筒を好む。かかる用途では、二重反射によって画像方位を変化させないプリズム・ユニットを備えた顕微鏡鏡筒が好ましい。これに関して、エア・ギャップによって互いに離間された第１および第２プリズムから成るプリズム・ユニットが特に便利であり、第１プリズムに入射した光線束は、最初に、エア・ギャップに接するその表面によって全反射し、次いで隣接する鏡面によって第２ミラーに向けて反射する。かかるプリズム構造には、それによって形成される光路長が非常に短いという利点がある。したがって、切片距離が短い鏡筒レンズに用いても有利である。この限界条件が与えられない場合、偶数回の反射を用いたその他のプリズム構成も、勿論、偏向のために用いることができる。
【００１２】
材料検査の用途では、ユーザは、横方向に反転しない、直立した画像を好む場合が多いので、試料の変位方向は画像の移動に対応する。したがって、かかる用途では、縦方向の反転のための１回の反射を、横方向の反転のための対応する装置と組み合わせたプリズム・ユニットが有利である。これは、画像方位の反転を行い、横方向の反転が行われることがわかっている１対の鏡面被膜屋根面を付加的に備えたプリズム・ユニットによって、特に簡単に達成される。
【００１３】
高さ調節機構は、鏡筒レンズと、顕微鏡の無限光路から光線束を受光する入力光学素子との間の距離を変化させることができなければならない。鏡筒レンズの後ろにある光学素
子は、常に鏡筒レンズから固定の距離のところに定在するように配置することが好ましい。画像補正の理由から好ましい無限焦点入力光学素子では、下位ハウジング部が入力光学素子を支持し、上位ハウジング部が後続の光学素子を含む鏡筒レンズを支持する場合、下位ハウジング部が伸縮自在に上位ハウジング部内に滑り込むことができるなハウジングの設計によって、特に容易に達成される。
【００１４】
公知の誘導ロッドを用いても、入力光学素子を支持するユニット、および後続の光学素子を含む鏡筒レンズを支持するユニットを誘導することができる。特に正確な誘導は、ボールスクリュー・ガイドによって達成され、スライド・キャリッジがガイド・レール内を移動することが好ましい。かかるボールスクリュー・ガイドは、更に、安価な標準的な部品を使用できるという利点もある。
【００１５】
高さ調節機構の駆動は、前記ガイドによって相互位置が保証される限り、取るに足らな
い要求に過ぎない。低精度は、垂直方向の調節の性能には影響を及ぼすが、顕微鏡鏡筒の光学特性には影響を及ぼさない。特に簡素な機構であって、同時に比較的高精度の調節を行うものが、ラック・ピニオン駆動部によって得られる。後者は、ピニオンを上位ハウジング部に回転可能に装着し、下位ハウジング部に装着したラックと係合するように設けるとよい。勿論、ピニオンおよびラックの位置は逆でもよい。
【００１６】
一般に、高さ調節機構を備えた顕微鏡鏡筒では、調節の後に垂直位置が不用意に変えられないようにすることが好ましいことがわかっている。この目的のためには、第１光学素子と鏡筒レンズとの間の距離変化に対処するのに適した固定機構であれば、ほぼいずれでも有用である。例えば、対応するロックが考えられる。これは、爪などのように、調節機構を阻止する。別個に阻止する必要はないが、常に調節のためにある力を抑えなければならない調節機構は特に便利である。これに関して、特に簡素な実施形態は、入力光学素子および鏡筒レンズの高さ調節機構を禁止するスリップクラッチである。
【００１７】
回転軸によって駆動する調節機構では、かかるスリップクラッチは、軸と、軸を支持するハウジング部との間に設けると有利である。特に製造に適した実施形態では、ハウジング部に回転可能に支持され、その回転が入力光学素子および鏡筒レンズの相互変位を駆動する軸を設ける。前記軸には摺動ディスクをはめ込み、ハウジング部に取り付けられた摺動ライニングに摺動ディスクを締結し、軸の回転を禁止するスリップクラッチを形成する。この設計では、動く部品が殆ど必要なく、僅かな摩擦ライニングだけがあればよい。この摩擦ライニングをテフロンで構成すると特に有利である。何故なら、これは特に耐磨耗性が高いからである。
【００１８】
固定機構は、特にスリップクラッチとして具体化される場合、顕微鏡鏡筒の重量や、例えば、カメラによって顕微鏡鏡筒に加えられる重量にはほぼ関係なく、選択した垂直位置を維持するという利点がある。
【００１９】
垂直に配向した光軸を有する顕微鏡では、殆どの場合、後続の光学素子、特にアイピースを含む鏡筒レンズは、入力光学素子と鏡筒レンズとの間の距離を広げるために、上に向かって移動する。この距離を広げるには、入力光学素子と鏡筒レンズとの間の距離を縮める場合とは異なる力が必要となる。この人間工学的に不利な影響を補償するために、入力光学素子を保持する支持部、例えば、下位ハウジング部と、後続の光学素子と共に鏡筒レンズを保持する支持部、例えば、上位ハウジング部との間にスプリング・ユニットを締結すると好都合である。前記スプリング・ユニットは、殆ど力を使わずに、入力光学素子と鏡筒レンズとの間において両方向に距離の調節を行うことができる。
【００２０】
本発明によれば、プリズム・ユニットが光路を偏向させる角度は、６５゜および７５゜
の範囲内で自由に選択することができる。光軸が垂直方向に延びる場合、ほぼ７０゜の偏向角度が特に使い勝手がよくで、ほぼ２０゜の視角が得られることがわかっている。
【００２１】
顕微鏡では、カメラを取り付けて画像を記録する場合が多い。そうする際、鏡筒レンズの中間画像面にカメラを位置付けると特に便利である。これは、主に、アイピースの前端にカメラを装着することによって行うことができる。しかしながら、プリズム・ユニットを光路外に移動させ、カメラ接続部を設けることができれば、一層有利であることがわかっている。これによって、プリズムを移動させて、カメラ接続部に取り付けたカメラによって中間画像を記録することができるので、中間画像は直接カメラに取り込まれる。この場合、アイピースは、カメラと共にその位置に取り付けたままにしておくことができ、取り外す必要はない。
【発明を実施するための最良の形態】
【００２２】
以下、一例として、図面を参照しながら本発明について更に詳細に説明する。
図１は、顕微鏡スタンド上に取り付けることを意図した顕微鏡鏡筒を示す斜視図である。顕微鏡鏡筒は、上位ハウジング部２および下位ハウジング部３を有する二部ハウジングを備えている。以下で更に詳しく説明するが、顕微鏡鏡筒のハウジング１を、垂直に延びる軸を有する顕微鏡上に装着し、双眼アイピースを上位ハウジング部３に取り付けたときに、双眼アイピースに２０゜の視角が得られるようになっている。２つのアイピース挿入部５および６は、その間の距離がユーザの目の間の距離に合わせることができ、双眼部４に挿入されている。
【００２３】
顕微鏡鏡筒のハウジングは、下位ハウジング部３が伸縮自在に上位ハウジング部２内に滑り込むことができ、調節可能となっている。この伸縮移動は、高さ調節ホイール７によって行われる。ハウジングの上面上には、カメラに接続するために設けられたカバー８も見ることができる。これについては以下で説明する。
【００２４】
図２は、顕微鏡鏡筒の下から見た斜視図を示す。入力光学素子９によって、無限光路からの放射光を顕微鏡内に入射させることができる。この入力光学素子９は、下位ハウジング部３の底面に設けられている。顕微鏡スタンド上に取り付けるために、下位ハウジング部３はその底面にねじ穴１０を有し、これによってハウジングを顕微鏡スタンド上にねじ止めすることができる。
【００２５】
図３は、顕微鏡鏡筒の内部構造の断面図を示す。入力光学素子９は、摺動部として設けられている下位ハウジング部３の底面１７に配置され、顕微鏡鏡筒を顕微鏡スタンド上に取り付けたときに、顕微鏡の光軸ＯＡ１上に位置する。入力光学素子９は、本例では２つのレンズで構成されており、無限焦点レンズである。即ち、これらは顕微鏡の無限光路内にテレセントリック領域を広げる。
【００２６】
鏡筒レンズ１２が入力光学素子９の後ろに配置されており、前記鏡筒レンズ１２は、プリズム・ユニット１３を保持するプリズム支持部に取り付けられている。プリズム・ユニット１３は、鏡筒レンズ１２の後ろに配置されている。鏡筒レンズ１２は、入力光学素子９によって無限光路内に誘導された光線束を、中間画像に変換する。すると、この変換画像は双眼部４を通じて見ることができるようになる。このようにする際、プリズム・ユニット１３は、光路を７０゜の角度だけ偏向させる。プリズム・ユニット１３の構造については、後に図６を参照しながら更に詳しく説明する。
【００２７】
プリズム・ユニット１３によって偏向された光線は、双眼フランジ１９内に設けられた双眼開口１８を通って双眼部４に入射する。双眼フランジ１９は、ねじによって、上位ハウジング部２に取り付けられている。そこから、前記光線は、中間画像の形態で、アイピ
ース挿入部５および６の補助によって、直視することができる。
【００２８】
下位ハウジング部３の壁に、ねじによって、ボールスクリュー・ガイドのスライド・キャリッジ１４が取り付けられており、前記スライド・キャリッジ１４は、上位ハウジング部２に取り付けられたガイド・レール１５内を移動する。ボールスクリュー・ガイドは、光軸ＯＡ１に沿って、上位ハウジング部２に対する下位ハウジング部３の正確な垂直誘導を行う。
【００２９】
最大限引き出した状態、即ち、スライド・キャリッジ１４が止め具（図には示されていない）に接触するとき、高さｄ、即ち、入力光学素子９と鏡筒レンズ１２との間の距離は最大となる。高さｄを減少させるためには、下位ハウジング部３を上位ハウジング部２内部に滑り込ませる。すると、下位ハウジング部３を顕微鏡スタンド上に取り付けたときに、顕微鏡のユーザがアイピース５および６をのぞき込む際の観察高が低くなるという効果がある。
【００３０】
下位ハウジング部３を上位ハウジング部２内に滑り込ませると、下位ハウジング部の壁が上位ハウジング部に繋がる。この例をスカート状の壁１６で示す。下位ハウジング部３をできるだけ遠くまで、入力光学素子９が鏡筒レンズ１２から最小許容距離の位置に来るまで、上位ハウジング部内に滑り込ませるために、双眼フランジ１９の背面に、ギャップ３９を設ける。ギャップ３９は、プリズム・ユニット１３と双眼フランジ１９との間に位置し、その中に壁１６を収容することができる。下位ハウジング部３を上位ハウジング部２に挿入する最大深さは、したがって、上位ハウジング部２の下縁とギャップ３９の上縁との間の距離によって決められる。前記距離は、プリズム・ユニット１３の長さによって制限され、しかもプリズム・ユニット１３は光学上の理由で自由に選択することができないので、壁１６がプリズム・ユニット１３を超えて移動するが、双眼部４に至る光路には入らないように、即ち、双眼開口１８と重複しないように、最大調節範囲が得られるギャップ３９が設けられている。
【００３１】
下位ハウジング部３を顕微鏡スタンドに固定的に取り付けたとき、アイピース部４が取り付けられている上位ハウジング部２は、高さｄを増加させると、前記高さ調節分だけ上昇する。駆動用に、高さ調節ホイール７が設けられており、これが軸２５を駆動する。図４および図５は、各々、前記軸２５の面における顕微鏡鏡筒１の異なる断面図を示す。
【００３２】
軸２５は、上位ハウジング部１内に支持され、グラブねじ３１によって回転に抗してロックされるように取り付けられたスリーブ・エレメント２７を支えている。ギアホイール３２は、高さ調節ホイール７によって回転することができ、スリーブ・エレメント２７の回りにはめ込まれている。ギアホイール３２は、下位ハウジング部３に取り付けられているラック３０と係合し、ラック３０およびギアホイール３２は、高さｄを変化させるラック・ピニオン駆動部を形成する。前記変更をできるだけ簡単に行うために、上位ハウジング部２と下位ハウジング部３との間に、スプリング・ユニット群２６が付勢されており、上位ハウジング部２、およびこれに取り付けられている双眼部４の固有重量を補償している。各スプリング・ユニット２６の張力は、重量が異なる双眼部４に合わせて適切に変えることができるように、調節可能とすることが好ましい。上向きおよび下向きの移動に等しい条件が得られるようにするために、スプリング・ユニットは、非常に平坦なばね特性曲線を有する。この特性曲線は、移動部品、即ち、部品が取り付けられている上位ハウジング部２の重量を補償するように、正確に選択される。
【００３３】
しかしながら、カバーの代わりに、カメラも顕微鏡鏡筒１に任意に取り付けることができ、そうするとスプリング・ユニットが支持すべき重量が増加するので、スリップクラッチユニットを更に設けている。後者は、実施形態例では、上位ハウジング部２の壁に収められたテフロン板２８を備えている。同様にテフロンで作ることができる摩擦ディスク２９を、軸２５上に配置したカップ・スプリング３３によって、このテフロン板上に押圧する。この目的のために、カップ・スプリング３３が、軸２５上に取り付けられている支持板３４上に支持され、その支持力が調節可能となるように、調節可能なバイアスを有する。任意に、締め付けねじも追加的に用いれば、従来設計のカップ・スプリングのために５ｋｇまでの重量を支持することができる。
【００３４】
顕微鏡鏡筒１は、異なるプリズム・ユニットを用いることができるように設計されている。第１の変形では、図６に示すプリズム・ユニットを備える。これは、二部分のプリズム群から成る。プリズム群は、バウエンファイント・プリズム（Ｂａｕｅｍｆｅｉｎｄ  ｐｒｉｓｍ）２１を備え、これは偏向プリズムとして作用する。その垂直に配向したプリズム面は、鏡面２４を備えている。別のプリズム２２が、バウエンファイント・プリズム２１から分離して、数／１０ｍｍのエア・ギャップ２３上に配置され、エア・ギャップ２３を斜めに通過する光軸が、光軸ＯＡ２に垂直な表面においてプリズム・ユニットから出ていくようにする作用を有する。別のプリズム２３の長さは、光路を短縮させる。何故なら、ガラス内を通過する光路は、空気路内の同じ距離よりも、光路長が短くなるからである。エア・ギャップ２３を光軸ＯＡ２、つまり、光路が斜めに横断するという事実は、画質にとって欠点ではない。バウエンファイント・プリズム２１には、エア・ギャップ２３および鏡面２４において合計２回の反射があるので、元の画像の方位は不変のままである。更に、特殊なガラスを用いており、適切な屈折率による全反射を可能とし、同時に鏡筒レンズの切片長を確実に維持する。
【００３５】
任意に、図６のプリズム群に関して、図７の斜視図に概略的に示すプリズムを使用してもよい。前記プリズムは、画像を反転させる。即ち、画像の方位をその縦および横方位に関して逆にする。このプリズム・ユニットは、光軸ＯＡ１に垂直な入力面３６と、光軸ＯＡ２に垂直な出力面３７とを備えた一部分ダハプリズム（ｒｏｏｆ−ｆａｃｅ  ｐｒｉｓｍ）３８として設けられる。鏡面被膜を施した２つの屋根面３８によって、対応するビームの偏向が生ずる。ダハプリズム３５では、光路の反射は１回だけなので、その結果縦方向の反転が生ずる。２つの屋根面３８では、同時に横方向の反転も生ずる。
【００３６】
両プリズムは、光路を約７０゜偏向させるので、光軸ＯＡ１を垂直に配向した場合、光軸ＯＡ２は水平に対して約２０゜の角度で延びる。
図６および図７のプリズム・ユニット１３は、これらが交換可能なモジュールとして用いられるように設計されている。したがって、ユーザの望みに応じて、同じ顕微鏡鏡筒が、横方向または縦方向補正画像、あるいは対応して反転した画像を、双眼部４において示すことができる。大がかりな光学的または機械的な変更は不要である。
【００３７】
カバー８の代わりにカメラを装着するために、装着具（図示せず）を設け、更にプリズム・ユニット１３をキャリッジ（図示せず）上にはめ込み、カメラによって画像を記録するときは、それを光路外に移動させることができるようにしている。
【図面の簡単な説明】
【００３８】
【図１】顕微鏡鏡筒の上から見た斜視図。
【図２】顕微鏡鏡筒の下から見た斜視図。
【図３】光軸に沿った顕微鏡鏡筒の横断面図。
【図４】高さ調節機構の面における顕微鏡鏡筒の断面図。
【図５】光軸および調節機構の面における顕微鏡鏡筒の更に別の横断面図。
【図６】顕微鏡鏡筒のプリズム・ユニットの概略図。
【図７】プリズム・ユニットの任意の実施形態を示す図。
【図１】
0004431381.tif 000002
【図２】
0004431381.tif 000003
【図７】
0004431381.tif 000004
【図３】
0004431381.tif 000005
【図４】
0004431381.tif 000006
【図５】
0004431381.tif 000007
【図６】
0004431381.tif 000008